(57)【要約】【課題】複数種類の光ディスクに対して１つの対物レンズで対応可能な光ピックアップ装置について、いずれの光ディスク種の場合にも適切にコマ収差を抑制できる構成を提供する。【解決手段】対物レンズ１７の傾き量の変化に対するコマ収差の発生量の変化度合いをレンズチルト感度、前記レンズチルト感度が最も大きくなる種類の光ディスクＤを用いる場合におけるコマ収差を打ち消すために必要となる対物レンズ１７の傾き量を第１の傾き量、前記レンズチルト感度が最も小さくなる種類の光ディスクＤを用いる場合におけるコマ収差を打ち消すために必要となる対物レンズ１７の傾き量を第２の傾き量、とした場合に、対物レンズ１７は、前記第１の傾き量と前記第２の傾き量との中間の傾き量だけ傾いた状態となるように傾角調整されている。【選択図】図２
2011248954.tif 000002
【特許請求の範囲】
【請求項１】
複数種類の光ディスクに対して対応可能であるとともに、光源から出射された光を光ディスクの情報記録面に集光する対物レンズを１つ有する光ピックアップ装置であって、
前記対物レンズの傾き量の変化に対するコマ収差の発生量の変化度合いをレンズチルト感度、前記レンズチルト感度が最も大きくなる種類の光ディスクを用いる場合におけるコマ収差を打ち消すために必要となる前記対物レンズの傾き量を第１の傾き量、前記レンズチルト感度が最も小さくなる種類の光ディスクを用いる場合におけるコマ収差を打ち消すために必要となる前記対物レンズの傾き量を第２の傾き量、とした場合に、
前記対物レンズは、前記第１の傾き量と前記第２の傾き量との中間の傾き量だけ傾いた状態となるように傾角調整されていることを特徴とする光ピックアップ装置。
【請求項２】
光軸方向への移動によって光学倍率を変動させる可動レンズを有し、
前記複数種類の光ディスクの中に、使用する情報記録面の位置によって前記可動レンズの位置が変動される多層光ディスクが含まれ、
前記多層光ディスクについて情報記録面の位置の違いによって別の種類の光ディスクであるものとみなして、前記第１の傾き量と前記第２の傾き量が求められていることを特徴とする請求項１に記載の光ピックアップ装置。
【請求項３】
光軸方向への移動によって光学倍率を変動させる可動レンズを有し、
前記複数種類の光ディスクの中に、使用する情報記録面の位置によって前記可動レンズの位置が変動される多層光ディスクが含まれ、
前記多層光ディスクについて、情報記録面の位置毎に異なる前記レンズチルト感度が平均化されたレンズチルト感度を有する１種類の光ディスクであるものとみなして、前記第１の傾き量と前記第２の傾き量が求められていることを特徴とする請求項１に記載の光ピックアップ装置。
【請求項４】
アクチュエータベースと前記対物レンズを保持するレンズホルダとを有して、前記レンズホルダを前記アクチュエータベースに対して移動可能とする対物レンズアクチュエータを備え、
前記対物レンズの傾きが、前記アクチュエータベースの傾きによって調整されていることを特徴とする請求項１から３のいずれかに記載の光ピックアップ装置。
【請求項５】
複数種類の光ディスクに対して対応可能であるとともに、光源から出射された光を光ディスクの情報記録面に集光する対物レンズを１つ有する光ピックアップ装置の組み立て方法であって、
前記対物レンズの傾き量の変化に対するコマ収差の発生量の変化度合いをレンズチルト感度とした場合に、
前記レンズチルト感度が最も大きくなる種類の光ディスクを用いる場合における、コマ収差を打ち消すために必要となる前記対物レンズの傾き量である第１の傾き量を求めるステップと、
前記レンズチルト感度が最も小さくなる種類の光ディスクを用いる場合における、コマ収差を打ち消すために必要となる前記対物レンズの傾き量である第２の傾き量を求めるステップと、
前記対物レンズが前記第１の傾き量と前記第２の傾き量との中間の傾き量だけ傾いた状態となるように傾角調整するステップと、
を備えることを特徴とする光ピックアップ装置の組み立て方法。
【請求項６】
前記複数種類の光ディスクの中に、使用する情報記録面の位置によって前記光ピックアップ装置の光学倍率を変動させる必要がある多層光ディスクが含まれる場合には、前記多層光ディスクについて情報記録面の位置の違いによって別の種類の光ディスクであるものとみなして、前記第１の傾き量と前記第２の傾き量を求める処理を行うことを特徴とする請求項５に記載の光ピックアップ装置の組み立て方法。
【請求項７】
前記複数種類の光ディスクの中に、使用する情報記録面の位置によって前記光ピックアップ装置の光学倍率を変動させる必要がある多層光ディスクが含まれる場合には、前記多層光ディスクについて、情報記録面の位置毎に異なる前記レンズチルト感度が平均化されたレンズチルト感度を有する１種類の光ディスクであるものとみなして、前記第１の傾き量と前記第２の傾き量を求める処理を行うことを特徴とする請求項５に記載の光ピックアップ装置の組み立て方法。
【請求項８】
前記光ピックアップ装置は、アクチュエータベースと前記対物レンズを保持するレンズホルダとを有して、前記レンズホルダを前記アクチュエータベースに対して移動可能とする対物レンズアクチュエータを備え、
前記対物レンズの傾角調整は、前記アクチュエータベースの傾きを調整することによって行われることを特徴とする請求項５から７のいずれかに記載の光ピックアップ装置の組み立て方法。
【発明の詳細な説明】
【技術分野】
【０００１】
本発明は、光ピックアップ装置及びその組み立て方法に関し、詳細には、複数種類の光ディスクに対して１つの対物レンズで対応可能な光ピックアップ装置における、対物レンズの傾角調整に関する。
【背景技術】
【０００２】
従来、ブルーレイディスク（以下ＢＤと記載）、デジタル多用途ディスク（以下ＤＶＤと記載）、コンパクトディスク（以下ＣＤと記載）といった３種類の光ディスクに対して、情報を読み取ったり、情報を書き込んだりすることが可能な光ピックアップ装置が提案されている。このような光ピックアップ装置には、光ディスクの種類によって切り換えて使用される２つの対物レンズ（ＢＤ用の対物レンズと、ＤＶＤ及びＣＤ用の対物レンズの２つ）を備えるものがある（例えば特許文献１参照）。なお、ここで言う対物レンズは、光源から出射される光を光ディスクの情報記録面に集光するレンズのことである。
【０００３】
２つの対物レンズを備える光ピックアップ装置においては、例えば次のように対物レンズの傾角調整を行うことによって、コマ収差の発生を抑制している。すなわち、２つの対物レンズを、コマ収差の発生方向が特定方向（通常ラジアル方向）を向くように、対物レンズアクチュエータのレンズホルダに配置する。この際、一方の対物レンズ（通常、ＢＤ用対物レンズ）はレンズホルダに固定し、他方の対物レンズ（通常、ＤＶＤ／ＣＤ用対物レンズ）はレンズホルダに固定しない。
【０００４】
そして、前記他方の対物レンズの傾き調整を行い、前記一方の対物レンズと前記他方の対物レンズの光軸とが平行となる（相対チルトが小さくなる）ように調整して、前記他方のレンズをレンズホルダに固定する。その後、前記一方の対物レンズを用いてコマ収差が打ち消されるように対物レンズアクチュエータのベースの傾きを調整することで、対物レンズの傾角調整を行う。前記一方の対物レンズと前記他方の対物レンズは相対チルトがないように先に調整されているために、前記一方の対物レンズの傾角調整によって、前記他方の対物レンズについてもコマ収差が打ち消された状態となる。
【０００５】
なお、ここでいう対物レンズアクチュエータは、フォーカスサーボ制御やトラックサーボ制御が可能となるように、対物レンズを少なくともフォーカス方向やトラック方向に移動可能とするものである。フォーカス方向とは光ディスクの情報記録面と略直交する方向であり、トラック方向とは光ディスクの半径方向（ラジアル方向）と略平行な方向である。また、フォーカスサーボ制御とは対物レンズの焦点位置が情報記録面から外れないように行う制御のことを指し、トラックサーボ制御とは対物レンズによって集光された光スポットが光ディスクのトラックに追随するように行う制御のことを指している。
【先行技術文献】
【特許文献】
【０００６】
【特許文献１】特開２００５−３４６８８３号公報
【発明の概要】
【発明が解決しようとする課題】
【０００７】
装置の小型化や製造コストを考慮すると、光ピックアップ装置の構成は、上述の２つの対物レンズを備える構成（以下、２レンズ方式と表現することがある）とするよりも、１つの対物レンズのみでＢＤ、ＤＶＤ、ＣＤといった複数種類の光ディスクに対応可能な構成（以下、１レンズ方式と表現することがある）とするのが好ましい。しかしながら、このような構成を採用する場合、２レンズ方式のような対物レンズの傾角調整が行えないために、いずれの光ディスク種の場合にもコマ収差が発生しないように、如何にして光ピックアップ装置の組み立てを行うかが問題となる。
【０００８】
すなわち、光ピックアップ装置の光学構成として無限系（対物レンズに平行光を入射させることを想定して設計された構成）を採用すると、光ディスクの種類によって、対物レンズの傾き量の変化に対するコマ収差の発生量の変化度合いであるレンズチルト感度が異なったものとなる。このため、単に、いずれかの種類の光ディスクに対してコマ収差が発生しないようにしても、他の光ディスク種の場合には大きなコマ収差が発生してしまうといった問題が発生する。
【０００９】
この点、光ピックアップ装置の光学構成として、例えば、ＢＤの場合とＤＶＤ／ＣＤの場合とで上述のレンズチルト感度が同等となるように、ＢＤに対しては無限系、ＤＶＤ／ＣＤに対しては有限系となるように構成する（逆の構成でもよい）ことが考えられる。このようにすれば、いずれかの種類の光ディスクに対してコマ収差が発生しないようにすることで、いずれの種類の光ディスクに対してもコマ収差を適切に抑制できる光ピックアップ装置の提供が可能となる。しかし、この構成では、有限系側において、組み立てばらつき、レンズシフト等の影響でコマ収差が発生しやすくなるために、必ずしも好ましい構成とは言えない。
【００１０】
そこで、本発明の目的は、複数種類の光ディスクに対して１つの対物レンズで対応可能な光ピックアップ装置について、いずれの光ディスク種の場合にも適切にコマ収差が抑制されるように構成された光ピックアップ装置を提供することである。また、本発明の他の目的は、そのような光ピックアップ装置の組み立て方法を提供することである。
【課題を解決するための手段】
【００１１】
上記目的を達成するために本発明の光ピックアップ装置は、複数種類の光ディスクに対して対応可能であるとともに、光源から出射された光を光ディスクの情報記録面に集光する対物レンズを１つ有する光ピックアップ装置であって、前記対物レンズの傾き量の変化に対するコマ収差の発生量の変化度合いをレンズチルト感度、前記レンズチルト感度が最も大きくなる種類の光ディスクを用いる場合におけるコマ収差を打ち消すために必要となる前記対物レンズの傾き量を第１の傾き量、前記レンズチルト感度が最も小さくなる種類の光ディスクを用いる場合におけるコマ収差を打ち消すために必要となる前記対物レンズの傾き量を第２の傾き量、とした場合に、前記対物レンズは、前記第１の傾き量と前記第２の傾き量との中間の傾き量だけ傾いた状態となるように傾角調整されていることを特徴としている。
【００１２】
本構成によれば、いずれかの光ディスク種の場合に偏ってコマ収差が抑制されるといったことがなく、いずれの光ディスク種に対してもコマ収差をある程度抑制することが可能となる。このために、いずれの光ディスク種に対しても、情報の読み取りや書き込みの良好な性能を確保することが可能となる。
【００１３】
上記構成の光ピックアップ装置において、光軸方向への移動によって光学倍率を変動させる可動レンズを有し、前記複数種類の光ディスクの中に、使用する情報記録面の位置によって前記可動レンズの位置が変動される多層光ディスクが含まれ、前記多層光ディスクについて情報記録面の位置の違いによって別の種類の光ディスクであるものとみなして、前記第１の傾き量と前記第２の傾き量が求められていることとしてもよい。
【００１４】
光学倍率が変化するとレンズチルト感度が異なってくるために、本構成のように光ディスクの種別を取り扱うことで、より適切にコマ収差の抑制を図れる。なお、可動レンズとしては、コリメートレンズが好適である。
【００１５】
上記構成の光ピックアップ装置において、光軸方向への移動によって光学倍率を変動させる可動レンズを有し、前記複数種類の光ディスクの中に、使用する情報記録面の位置によって前記可動レンズの位置が変動される多層光ディスクが含まれ、前記多層光ディスクについて、情報記録面の位置毎に異なる前記レンズチルト感度が平均化されたレンズチルト感度を有する１種類の光ディスクであるものとみなして、前記第１の傾き量と前記第２の傾き量が求められていることとしてもよい。
【００１６】
多層光ディスクの使われ方を考慮した場合に、本構成を採用した方が好ましい場合もあり得る。
【００１７】
上記構成の光ピックアップ装置において、アクチュエータベースと前記対物レンズを保持するレンズホルダとを有して、前記レンズホルダを前記アクチュエータベースに対して移動可能とする対物レンズアクチュエータを備え、前記対物レンズの傾きが、前記アクチュエータベースの傾きによって調整されているのが好ましい。対物レンズ自身を傾けるよりも、本構成のようにアクチュエータベースを傾けて対物レンズの傾角調整を行う方が、作業性が良くなるために好ましい。
【００１８】
また、上記目的を達成するために本発明の光ピックアップ装置の組み立て方法は、複数種類の光ディスクに対して対応可能であるとともに、光源から出射された光を光ディスクの情報記録面に集光する対物レンズを１つ有する光ピックアップ装置の組み立て方法であって、前記対物レンズの傾き量の変化に対するコマ収差の発生量の変化度合いをレンズチルト感度とした場合に、前記レンズチルト感度が最も大きくなる種類の光ディスクを用いる場合における、コマ収差を打ち消すために必要となる前記対物レンズの傾き量である第１の傾き量を求めるステップと、前記レンズチルト感度が最も小さくなる種類の光ディスクを用いる場合における、コマ収差を打ち消すために必要となる前記対物レンズの傾き量である第２の傾き量を求めるステップと、前記対物レンズが前記第１の傾き量と前記第２の傾き量との中間の傾き量だけ傾いた状態となるように傾角調整するステップと、を備えることを特徴としている。
【００１９】
上記構成の光ピックアップ装置の組み立て方法において、前記複数種類の光ディスクの中に、使用する情報記録面の位置によって前記光ピックアップ装置の光学倍率を変動させる必要がある多層光ディスクが含まれる場合には、前記多層光ディスクについて情報記録面の位置の違いによって別の種類の光ディスクであるものとみなして、前記第１の傾き量と前記第２の傾き量を求める処理を行うこととしてもよい。
【００２０】
上記構成の光ピックアップ装置の組み立て方法において、前記複数種類の光ディスクの中に、使用する情報記録面の位置によって前記光ピックアップ装置の光学倍率を変動させる必要がある多層光ディスクが含まれる場合には、前記多層光ディスクについて、情報記録面の位置毎に異なる前記レンズチルト感度が平均化されたレンズチルト感度を有する１種類の光ディスクであるものとみなして、前記第１の傾き量と前記第２の傾き量を求める処理を行うこととしてもよい。
【００２１】
上記構成の光ピックアップ装置の組み立て方法において、前記光ピックアップ装置は、アクチュエータベースと前記対物レンズを保持するレンズホルダとを有して、前記レンズホルダを前記アクチュエータベースに対して移動可能とする対物レンズアクチュエータを備え、前記対物レンズの傾角調整は、前記アクチュエータベースの傾きを調整することによって行われることとしてもよい。
【発明の効果】
【００２２】
本発明によれば、複数種類の光ディスクに対して１つの対物レンズで対応可能な光ピックアップ装置について、いずれの光ディスク種の場合にも適切にコマ収差を抑制することが可能となる。また、光ピックアップ装置の光学構成として、上述のレンズチルト感度が全ての光ディスク種で同等となるように有限系の構成を採用しなくて済むために、組み立てばらつきやレンズシフトによるコマ収差の発生を抑制することもできる。
【図面の簡単な説明】
【００２３】
【図１】第１実施形態の光ピックアップ装置の構成を示す概略平面図
【図２】第１実施形態の光ピックアップ装置の光学構成を示す概略図
【図３】第１実施形態の光ピックアップ装置において、光ディスクの種類によってレンズチルト感度が異なる様子を示すグラフ
【図４】第１実施形態の光ピックアップ装置における、レンズチルト量とコマ収差の補正残差の関係を示すグラフ
【図５】第１実施形態の光ピックアップ装置における、対物レンズの傾角調整方法（光ピックアップ装置の組み立て方法）の手順の一例を示すフローチャート
【図６】第２実施形態の光ピックアップ装置の光学構成を示す概略図
【図７】第２実施形態の光ピックアップ装置において、光ディスクの種類によってレンズチルト感度が異なる様子を示すグラフ
【図８】第２実施形態の光ピックアップ装置における、対物レンズの傾角調整方法（光ピックアップ装置の組み立て方法）の手順の一例を示すフローチャート
【図９】第３実施形態の光ピックアップ装置における、対物レンズの傾角調整方法（光ピックアップ装置の組み立て方法）の手順の一例を示すフローチャート
【発明を実施するための形態】
【００２４】
以下、本発明の光ピックアップ装置及びその組み立て方法の実施形態について、図面を参照しながら詳細に説明する。
【００２５】
（第１実施形態）
図１は、第１実施形態の光ピックアップ装置の構成を示す概略平面図で、図１（ａ）は光ピックアップ装置の上面図、図１（ｂ）は光ピックアップ装置の側面図である。なお、図１（ｂ）は、図１（ａ）に示す矢印Ａに沿って見た図である。また、図１（ｂ）には、理解を容易とするために、光ディスクＤも併せて示している。図１に示すように、第１実施形態の光ピックアップ装置１は、ピックアップベース１０と、ピックアップベース１０上に固定配置される対物レンズアクチュエータ２０と、を備えた構成となっている。
【００２６】
ピックアップベース１０の左右の端部には軸受け部１０ａ、１０ｂが設けられている。ピックアップベース１０は、この軸受け部１０ａ、１０ｂによって光ディスクＤの再生や記録を行うための装置である光ディスク装置に設けられるガイドシャフト１００（図１（ａ）に破線で示す）に摺動可能に支持されることになる。光ディスク装置に設けられるガイドシャフト１００は光ディスクＤの半径方向（ラジアル方向）に延びるように配置される。これにより、光ピックアップ装置１は、光ディスクＤの所望のアドレスにアクセスして情報の読み取りや書き込みを行うことが可能になる。
【００２７】
図２は、第１実施形態の光ピックアップ装置の光学構成を示す概略図である。なお、図２には理解を容易とするために光ディスクＤも併せて示している。図２に示すように、第１実施形態の光ピックアップ装置１は、第１のレーザダイオード（ＬＤ）１１と、第２のレーザダイオード（ＬＤ）１２と、ダイクロプリズム１３と、ビームスプリッタ１４と、コリメートレンズ１５と、立上げミラー１６と、対物レンズ１７と、センサーレンズ１８と、フォトディテクタ１９と、を備える。
【００２８】
第１のＬＤ１１と第２のＬＤ１２とは異なる波長のレーザ光を出射する光源である。このように異なる波長のレーザ光を出射可能に設けるのは、光ピックアップ装置１によって複数種類（本実施形態では２種類）の光ディスクＤに対して情報の読み取りや書き込みを行えるようにするためである。第１実施形態では、第１のＬＤ１１から４０５ｎｍ帯のレーザ光（ＢＤ用のレーザ光）が出射されるように、第２のＬＤ１２から６５０ｎｍのレーザ光（ＤＶＤ用のレーザ光）が出射されるように構成されている。
【００２９】
なお、本実施形態では異なる波長のレーザ光を出射するために複数位置にＬＤを配置する構成としているが、複数波長のレーザ光を切り換えて出射可能なＬＤを用いてＬＤの数を減らすようにしてもよい。
【００３０】
ダイクロプリズム１３は、第１のＬＤ１１から出射されるレーザ光を透過するとともに、第２のＬＤ１２から出射されるレーザ光を反射する。ダイクロプリズム１３から出射されるレーザ光の光軸が、第１のＬＤ１１から出射されるレーザ光と第２のＬＤ１２から出射されるレーザ光との間でほぼ一致するように、２つのＬＤ１１、１２の位置は調整されている。
【００３１】
ビームスプリッタ１４は、ダイクロプリズム１３からのレーザ光を透過して光ディスクＤ側へと導くとともに、光ディスクＤからの戻り光（反射光）を反射してフォトディテクタ１９側へと導く。コリメートレンズ１５はビームスプリッタ１４からのレーザ光を平行光に変換する。立上げミラー１６はコリメートレンズ１５からのレーザ光を反射して、レーザ光の光軸が光ディスクＤの情報記録面ＲＳと略直交する方向に変換する。対物レンズ１７は、立上げミラー１６からのレーザ光を集光して光ディスクＤの情報記録面ＲＳに光スポットを形成する。
【００３２】
センサーレンズ１８は、第１のＬＤ１１或いは第２のＬＤから出射されて光ディスクＤに至り、光ディスクＤで反射された戻り光（詳細には対物レンズ１７、立上げミラー１６、コリメートレンズ１５を順に経て、ビームスプリッタ１４で反射されて光）に非点収差を与える。フォトディテクタ１９は受光した光信号を電気信号に変換する光電変換手段として機能する。フォトディテクタ１９から出力された電気信号は図示しない信号処理手段で処理され、再生信号やサーボ信号の生成が行われる。
【００３３】
第１のレーザダイオード（ＬＤ）１１と、第２のレーザダイオード（ＬＤ）１２と、ダイクロプリズム１３と、ビームスプリッタ１４と、コリメートレンズ１５と、立上げミラー１６と、センサーレンズ１８と、フォトディテクタ１９とはピックアップベース１０（図１参照）に固定される。対物レンズ１７は、対物レンズアクチュエータ２０（図１参照）に搭載されて特定の方向に移動可能とされる。
【００３４】
図１に示すように、対物レンズアクチュエータ２０は、アクチュエータベース２１と、対物レンズ１７を保持するレンズホルダ２２とを備える。アクチュエータベース２１には、レンズホルダ２２を挟むように一対の永久磁石２３が配置されている。レンズホルダ２２は、サスペンションホルダ２４に一端を固定される複数のワイヤー２５によって片持ち支持され、アクチュエータベース２１に対して揺動可能となっている。
【００３５】
レンズホルダ２２には、その内部側壁に沿って対物レンズ１７の光軸を取り巻くように配置されるフォーカスコイル２６と、その２つの外部側壁（永久磁石２３と対向する側壁）の対称位置に、それぞれ２つずつ配置される４つのトラックコイル２７と、が取り付けられている。これらのコイル２６、２７のそれぞれは、いずれも略矩形状に巻回され、ワイヤー２５を介して電流が供給されるようになっている。
【００３６】
フォーカスコイル２６に電流が流れると、永久磁石２３によって作られる磁界との電磁気的な作用によって、電流が流れる向き及び電流の大きさに応じて、対物レンズ１７はレンズホルダ２２と共にフォーカス方向に移動する。同様に、トラックコイル２７に電流が流れると、その向き及び大きさに応じて、対物レンズ１７はレンズホルダ２２と共にトラック方向に移動する。
【００３７】
このように対物レンズ１７をフォーカス方向及びトラック方向に移動可能とするのは、フォーカスサーボ制御やトラックサーボ制御を可能とするためである。なお、対物レンズアクチュエータ２０の構成として、対物レンズ１７をラジアル方向に傾けられるようにチルトコイルを設ける構成としても勿論よい。チルトコイルを設ける構成は公知であるために、ここでは、その詳細説明は省略する。
【００３８】
以上のように構成される光ピックアップ装置１を組み立てる場合、コマ収差の発生を抑制するために対物レンズ１７の傾き調整（傾角調整）が行われる。ところで、対物レンズ１７を１つのみ有する光ピックアップ装置１においては、図３に示すように、対物レンズ１７の傾き量（レンズチルト量）の変化に対するコマ収差の発生量の変化度合いであるレンズチルト感度が、光ディスクＤの種類によって異なる。
【００３９】
レンズチルト感度が異なる場合、図４に示すように、ＢＤを用いてコマ収差がゼロとなるようにレンズチルト量を調整する（レンズチルト量ＬＴ１）と、レンズチルト量が大きくなり過ぎてＤＶＤを使用する場合に発生するコマ収差の量が大きくなってしまう。一方、ＤＶＤを用いてコマ収差がゼロとなるようにレンズチルト量を調整する（レンズチルト量ＬＴ１）と、レンズチルト量が小さすぎてＢＤを使用する場合に発生するコマ収差の量が大きくなってしまう。
【００４０】
なお、ここでは、レンズチルト量は、対物レンズ１７の光軸が光ディスクＤの情報記録面ＲＳに対して垂直である状態からラジアル方向に傾けられた量のことを指している。また、図４においては、対物レンズ１７そのものがコマ収差を有していることを前提としている。
【００４１】
そこで、第１実施形態の光ピックアップ装置１においては、ＢＤの場合に最適なレンズチルト量（ＬＴ１）と、ＤＶＤの場合に最適なレンズチルト量（ＬＴ２）との中間のレンズチルト量Ｍ（Ｍ＝（ＬＴ１＋ＬＴ２）／２）となるように、対物レンズ１７の傾きを調整（傾角調整）している。このようにした場合、ＢＤの場合と、ＤＶＤとの場合とで、いずれもコマ収差をゼロとすることはできないが、いずれの光ディスクＤの場合にも、情報の読み取りや書き込みにコマ収差が及ぼす影響を適切に抑制することが可能となる。
【００４２】
図５は、第１実施形態の光ピックアップ装置における、対物レンズの傾角調整方法（光ピックアップ装置の組み立て方法）の手順の一例を示すフローチャートである。図５に示すように、対物レンズ１７の傾角調整を行うにあたって、まず、光ピックアップ装置１の設定をＢＤ用の設定（ＢＤの情報の読み取り等を行う設定）とする（ステップＳ１）。第１実施形態の光ピックアップ装置１においては、ＢＤはレンズチルト感度が最も大きくなる種類の光ディスクに該当する。
【００４３】
次に、対物レンズ１７の傾きを例えば予め定められた複数の傾きとし、それぞれの傾きにおいてコマ収差を測定する（ステップＳ２）。そして、コマ収差測定の結果から、レンズチルト感度が最も大きくなる種類の光ディスクＤにおける、コマ収差を打ち消すために必要な対物レンズ１７の傾き量（最適な傾き量）である第１の傾き量を求める（ステップＳ３）。第１の傾き量は、例えば直線近似等を利用して求めてもよい。
【００４４】
第１の傾き量を求めると、光ピックアップ装置１の設定をＤＶＤ用の設定（ＤＶＤの情報の読み取り等を行う設定）とする（ステップＳ４）。第１実施形態の光ピックアップ装置１においては、ＤＶＤはレンズチルト感度が最も小さくなる種類の光ディスクに該当する。そして、ＢＤの場合と同様に、対物レンズ１７の傾きを例えば予め定められた複数の傾きとし、それぞれの傾きにおいてコマ収差を測定し（ステップＳ５）、レンズチルト感度が最も小さくなる種類の光ディスクＤにおける、コマ収差を打ち消すために必要な対物レンズ１７の傾き量（最適な傾き量）である第２の傾き量を求める（ステップＳ６）。
【００４５】
なお、第１の傾き量と第２の傾き量を求める順番は、以上の説明とは逆でもよい。
【００４６】
第１の傾き量と第２の傾き量とを求めると、２つの傾き量の中間の傾き量を算出する（ステップＳ７）。そして、対物レンズ１７の傾きが求めた中間の傾き量となるように、対物レンズ１７の傾きを調整する（ステップＳ８）。対物レンズ１７の傾き調整は、レンズホルダ２２（図１参照）に保持される対物レンズ１７を傾けることによる調整でもよい。しかし、本実施形態においては、その調整のし易さから、対物レンズ１７自身はレンズホルダ２２に固定しておき、対物レンズアクチュエータ２０のアクチュエータベース２１を傾けることで、対物レンズ１７の傾き調整を行うようにしている（ステップＳ２、Ｓ５においても同様）。
【００４７】
なお、本実施形態では、対物レンズ１７のコマ収差がラジアル方向（特定の方向の一例であり、これに限定される趣旨ではない）に発生するように対物レンズ１７をレンズホルダ２２に貼り付け、対物レンズ１７をラジアル方向に傾けることによって傾角調整するようにしている。
【００４８】
（第２実施形態）
図６は、第２実施形態の光ピックアップ装置の光学構成を示す概略図である。第２実施形態の光ピックアップ装置２は、おおよその構成は第１実施形態の光ピックアップ装置１と同じである。第１実施形態の光ピックアップ装置１と重複する構成については同一の符号を付し、特に説明の必要がある場合を除いて、その説明省略する。
【００４９】
第２実施形態の光ピックアップ装置２も、光源として２つのレーザダイオード（ＬＤ）１１、１２´を備える。第１のＬＤ１１は第１実施形態と同様に、ＢＤ用のレーザ光を出射する構成となっている。第２のＬＤ１２´は、ＤＶＤ用のレーザ光（波長６５０ｎｍ帯のレーザ光）とＣＤ用のレーザ光（波長７８０ｎｍ帯のレーザ光）とを切り換えて出射可能となっている。すなわち、第２実施形態の光ピックアップ装置２は、ＢＤ、ＤＶＤ及びＣＤに対応可能となっている。
【００５０】
また、光ピックアップ装置２においては、レンズ移動装置３０によって、コリメートレンズ１５が光軸と平行な方向（図６の矢印Ｂ方向）に移動可能となっている点においても、第１実施形態の光ピックアップ装置１と異なる。レンズ移動装置３０の構成は特に限定されるものではなく、例えば、コリメートレンズ１５を保持するホルダを、ステッピングモータ等によって回転されるリードスクリュによって移動可能とする構成等できる。
【００５１】
コリメートレンズ１５を移動可能とすることにより、対物レンズ１７に入射するレーザ光の状態（収束状態或いは発散状態）を変更することが可能になる。ＢＤには、厚み方向に複数（２つ）の情報記録面ＲＳを有する多層光ディスクがある。ＢＤに対応する場合、その開口数が大きいこと等が原因となって、情報の読み取り等の品質に対する球面収差の影響を無視し難い。すなわち、ＢＤのＬ０層（ディスク表面より遠い側；図６参照）とＬ１層（ディスク表面に近い側；図６参照）との両方で良好な読み取り等の品質を得ようとすると、球面収差の補正を行うことが必要となる。このために、本実施形態においてはコリメートレンズ１５を可動レンズとして、Ｌ０層とＬ１層とでコリメートレンズ１５の位置を変更し、球面収差の補正を行うようにしている。
【００５２】
本実施形態の光ピックアップ装置２においては、レンズチルト感度が図７に示すようになる。図７に示すように、ＢＤ、ＤＶＤ、ＣＤの場合でレンズチルト感度が異なる。更に、ＢＤの場合においては、Ｌ０層とＬ１層との場合でレンズチルト感度が大きく異なっている。なお、Ｌ０層とＬ１層との場合でレンズチルト感度が異なるのは、コリメートレンズ１５の位置を移動すると、光学系の光学倍率が変化することが関係している。
【００５３】
第２実施形態の光ピックアップ装置２を組み立てる場合には、ＢＤのＬ０層と、ＢＤのＬ１層とは、別種類の光ディスクであるものとみなして、対物レンズ１７の傾角調整を行うことにしている。図８に示すフローチャートを参照しながら、第２実施形態の光ピックアップ装置２における、対物レンズ１７の傾角調整方法（光ピックアップ装置の組み立て方法）の手順について説明する。
【００５４】
図８に示すように、対物レンズ１７の傾角調整を行うにあたって、まず、光ピックアップ装置１の設定をＢＤ（Ｌ１層）用の設定（ＢＤ（Ｌ１層）の情報の読み取りを行う設定）とする（ステップＳ１１）。第２実施形態の光ピックアップ装置２においては、ＢＤ（Ｌ１層）、ＢＤ（Ｌ０層）、ＤＶＤ、ＣＤのうち、レンズチルト感度が最も大きくなる種類の光ディスクはＢＤ（Ｌ１層）が該当する。このため、ＢＤ（Ｌ１層）の設定とすることによって、レンズチルト感度が最も大きくなる種類の光ディスクＤにおける、コマ収差を打ち消すために必要な対物レンズ１７の傾き量（第１の傾き量）を求める処理を行う。
【００５５】
第１の傾き量を求める手順（ステップＳ１２、Ｓ１３）については、第１実施形態の場合と同様であるために、詳細な説明は省略する。
【００５６】
次に、光ピックアップ装置１の設定をＤＶＤ用の設定（ＤＶＤの情報の読み取りを行う設定）とする（ステップＳ１４）。第２実施形態の光ピックアップ装置２においては、ＢＤ（Ｌ１層）、ＢＤ（Ｌ０層）、ＤＶＤ、ＣＤのうち、レンズチルト感度が最も小さくなる種類の光ディスクはＤＶＤが該当する。このため、ＤＶＤの設定とすることによって、レンズチルト感度が最も小さくなる種類の光ディスクＤにおける、コマ収差を打ち消すために必要な対物レンズ１７の傾き量（第２の傾き量）を求める処理を行う。
【００５７】
第２の傾き量を求める手順（ステップＳ１５、Ｓ１６）については、第１実施形態の場合と同様であるために、詳細な説明は省略する。
【００５８】
第１の傾き量と第２の傾き量とを求めると、第１実施形態の場合と同様に、２つの傾き量の中間の傾き量を算出して（ステップＳ１７）、求めた中間の傾き量となるように対物レンズ１７の傾きを調整する（ステップＳ１８）。このように光ピックアップ装置２を構成することで、ＢＤ（Ｌ１層）、ＢＤ（Ｌ０層）、ＤＶＤ、及びＣＤの場合で、いずれもコマ収差をゼロとすることはできないが、いずれの光ディスク種の場合にも、情報の読み取りや書き込みにコマ収差が及ぼす影響を適切に抑制することが可能となる。
【００５９】
（第３実施形態）
第３実施形態の光ピックアップ装置は、第２実施形態の光ピックアップ装置の構成と同様である。ただし、対物レンズ１７の傾角調整の方法が異なる。以下、傾角調整の方法の違いについてのみ説明する。
【００６０】
第２実施形態の光ピックアップ装置２においては、レンズチルト感度が異なる、ＢＤ（Ｌ０層）とＢＤ（Ｌ１層）とを別々の光ディスク種であると見なして、対物レンズ１７の傾角調整を行う構成とした。第３実施形態では、ＢＤ（Ｌ０層）とＢＤ（Ｌ１層）とを別の光ディスク種とみなすのではなく、それぞれのレンズチルト感度が平均化されたレンズチルト感度を有する１種類の光ディスクであるとみなして、対物レンズ１７の傾角調整を行う構成としている。
【００６１】
図９は、第３実施形態の光ピックアップ装置における、対物レンズの傾角調整方法（光ピックアップ装置の組み立て方法）の手順の一例を示すフローチャートである。第３実施形態の光ピックアップ装置においては、ＢＤ（Ｌ０層）とＢＤ（Ｌ１層）のレンズチルト感度を平均化したレンズチルト感度を有する１種類の光ディスク（みなしの光ディスク）が、レンズチルト感度が最も大きくなる種類の光ディスクである。このため、このみなしの光ディスクのコマ収差を打ち消すために必要となる対物レンズ１７の傾き量を求めることにより、第１の傾き量が得られることになる（ステップＳ２１〜ステップＳ２３）。
【００６２】
具体的には、例えば、まず、ＢＤ（Ｌ１層）用の設定の場合における、対物レンズ１７の最適な傾き量を求める（ステップＳ２１）。これは、対物レンズ１７の傾きを例えば予め定められた複数の傾きとし、それぞれの傾きにおいてコマ収差を測定し、コマ収差を打ち消すために必要な対物レンズ１７の傾き量を求める。次に、ＢＤ（Ｌ０層）用の設定の場合における、対物レンズ１７の最適な傾き量を、ステップＳ２１と同様の手法で求める（ステップＳ２２）。ＢＤ（Ｌ１層）とＢＤ（Ｌ０層）とにおける、対物レンズ１７の最適な傾き量を求めると、この２つの平均値を求める（ステップＳ２３）。この平均値が、レンズチルト感度が最も大きくなる種類の光ディスクＤにおける、コマ収差を打ち消すために必要な対物レンズ１７の傾き量である第１の傾き量となる。
【００６３】
次に、ＤＶＤ用の設定の場合における、対物レンズ１７の最適な傾き量を求める（ステップＳ２３）。ここで、ＤＶＤを選択したのは、ＤＶＤが最もレンズチルト感度が小さくなる光ディスクの種類に該当するからである。最適な傾き量は、コマ収差を打ち消すために必要となる対物レンズ１７の傾き量のことであり、第２実施形態の場合の第２の傾き量と同じで、その求め方も同様である。
【００６４】
第１の傾き量と第２の傾き量とを求めると、第１及び第２実施形態の場合と同様に、２つの傾き量の中間の傾き量を算出して（ステップＳ２５）、求めた中間の傾き量となるように対物レンズ１７の傾きを調整する（ステップＳ２６）。
【００６５】
ＢＤはＬ０層が普段よく使用される。このために、対物レンズ１７の傾角調整を行う際に、単にレンズチルト感度の高いＢＤ（Ｌ１層）における対物レンズ１７の傾きのみを考慮するのではなく、本実施形態のように使用頻度の高いＢＤ（Ｌ０層）のことも考慮して傾角調整するのも一手である。この構成の場合、ＢＤ（Ｌ１層）の情報の読み取り等を行う際におけるコマ収差の影響が大きくなることが考えられる。しかし、従来、対物レンズアクチュエータ２０によって対物レンズ１７をラジアル方向に傾ける構成が採用されているために、対物レンズアクチュエータ２０によって対物レンズ１７をチルトさせて、読み取り性能等を確保することも可能である。
【００６６】
（その他）
以上に示した第１から第３実施形態の光ピックアップ装置及びその組み立て方法は本発明の例示であり、本発明の光ピックアップ装置及びその組み立て方法は以上の構成に限定されるものではない。例えば、光ピックアップ装置の光学構成について、例えば回折素子や液晶素子等の光学部材を適宜加えても構わない。また、光ピックアップ装置において対応可能な光ディスクの種類も例示であり、適宜変更可能である。また、対物レンズアクチュエータの構成も例示であり、例えば、対物レンズを保持するレンズホルダをアクチュエータベースに支持された摺動軸に対して上下、或いは回転させてフォーカス方向やトラック方向に対物レンズを移動させるタイプのものであってもよい。
【産業上の利用可能性】
【００６７】
本発明は、複数種類の光ディスクに対して１つの対物レンズで対応可能な光ピックアップ装置に好適である。
【符号の説明】
【００６８】
１、２  光ピックアップ装置
１１、１２、１２´  ＬＤ（光源）
１５  コリメートレンズ（可動レンズ）
１７  対物レンズ
２０  対物レンズアクチュエータ
２１  アクチュエータベース
２２  レンズホルダ
Ｄ  光ディスク
ＲＳ  情報記録面
【図１】
2011248954.tif 000003
【図２】
2011248954.tif 000004
【図３】
2011248954.tif 000005
【図４】
2011248954.tif 000006
【図５】
2011248954.tif 000007
【図６】
2011248954.tif 000008
【図７】
2011248954.tif 000009
【図８】
2011248954.tif 000010
【図９】
2011248954.tif 000011